(57)【要約】【課題】  ウォーキングを支援するウォーキング支援方法およびウォーキング支援システム、ならびに、ウォーキング支援に用いられるマンホール蓋、携帯端末およびサーバを提供する。【解決手段】  固有のマンホールＩＤが設定されたマンホール蓋と、固有の端末ＩＤが設定された携帯端末と、サーバと、を用いたウォーキング支援方法であって、前記マンホール蓋は、前記マンホール蓋に前記携帯端末を持ったユーザが乗ったことを検知すると、前記マンホールＩＤを前記携帯端末に送信し、前記携帯端末は、前記マンホール蓋から前記マンホールＩＤを受信し、前記マンホールＩＤおよび前記端末ＩＤを前記サーバに送信し、前記サーバは、前記携帯端末から前記マンホールＩＤおよび前記端末ＩＤを受信し、受信した前記マンホールＩＤに基づくポイントを前記端末ＩＤが設定された携帯端末のユーザに付与する、ウォーキング支援方法が提供される。【選択図】図１
2019132056.tif 000002
【特許請求の範囲】
【請求項１】
固有のマンホールＩＤが設定されたマンホール蓋と、
固有の端末ＩＤが設定された携帯端末と、
サーバと、を用いたウォーキング支援方法であって、
前記マンホール蓋は、前記マンホール蓋に前記携帯端末を持ったユーザが乗ったことを検知すると、前記マンホールＩＤを前記携帯端末に送信し、
前記携帯端末は、前記マンホール蓋から前記マンホールＩＤを受信し、前記マンホールＩＤおよび前記端末ＩＤを前記サーバに送信し、
前記サーバは、前記携帯端末から前記マンホールＩＤおよび前記端末ＩＤを受信し、受信した前記マンホールＩＤに基づくポイントを前記端末ＩＤが設定された携帯端末のユーザに付与する、ウォーキング支援方法。
【請求項２】
前記サーバは、受信した前記マンホールＩＤに基づいて、
ユーザが乗ったマンホール蓋の数、
ユーザが乗ったマンホール蓋間の距離、
ユーザが乗ったマンホール蓋間の平均歩幅、
ユーザが乗ったマンホール蓋間の平均移動速度、および、
１日あたりの総移動距離のうちの少なくとも１つに応じたポイントを前記端末ＩＤが設定された携帯端末のユーザに付与する、請求項１に記載のウォーキング支援方法。
【請求項３】
前記サーバは、ユーザが乗ったマンホール蓋間の平均移動速度が所定範囲内であれば健康ポイントを付与し、所定範囲外であれば健康ポイントを付与しない、請求項２に記載のウォーキング支援方法。
【請求項４】
前記サーバは、ユーザが乗ったマンホール蓋間の平均移動速度が所定値に近いほど高い健康ポイントを付与する、請求項２または３に記載のウォーキング支援方法。
【請求項５】
前記マンホール蓋は、ユーザが１日のうちの初めに乗ったものである場合、前記ユーザの体重を示す体重情報を前記携帯端末に送信する、請求項１乃至４のいずれかに記載のウォーキング支援方法。
【請求項６】
前記携帯端末は、
ユーザが乗ったマンホール蓋の数、
ユーザが乗ったマンホール蓋間の距離、
ユーザが乗ったマンホール蓋間の平均移動速度、
ユーザに付与されたポイント、および、
ユーザの体重のうちの少なくとも１つの変化を表示する、請求項１乃至５のいずれかに記載のウォーキング支援方法。
【請求項７】
前記携帯端末は、付与されたポイントと交換可能なクーポンの情報を表示する、請求項１乃至６のいずれかに記載のウォーキング支援方法。
【請求項８】
固有のマンホールＩＤが設定されたマンホール蓋と、
固有の端末ＩＤが設定された携帯端末と、
サーバと、を備えるウォーキング支援システムであって、
前記マンホール蓋は、
前記マンホール蓋に前記携帯端末を持ったユーザが乗ったことを検知する重量センサと、
前記ユーザが乗ったことが検知されると、前記マンホールＩＤを前記携帯端末に送信する第１制御部と、を備え、
前記携帯端末は、前記マンホール蓋から前記マンホールＩＤを受信し、前記マンホールＩＤおよび前記端末ＩＤを前記サーバに送信する第２制御部を備え、
前記サーバは、前記携帯端末から前記マンホールＩＤおよび前記端末ＩＤを受信し、受信した前記マンホールＩＤに基づくポイントを前記端末ＩＤが設定された携帯端末のユーザに付与する第３制御部を備える、ウォーキング支援システム。
【請求項９】
携帯端末と通信可能であり、固有のマンホールＩＤが設定されたマンホール蓋であって、
前記マンホール蓋に前記携帯端末を持ったユーザが乗ったことを検知する重量センサと、
前記ユーザが乗ったことが検知されると、前記マンホールＩＤを前記携帯端末に送信する第１制御部と、を備えるマンホール蓋。
【請求項１０】
固有のマンホールＩＤが設定されたマンホール蓋およびサーバと通信可能であり、固有の端末ＩＤが設定された携帯端末であって、
前記携帯端末のユーザが前記マンホール蓋に乗ると、前記マンホール蓋から前記マンホールＩＤを受信し、前記マンホールＩＤおよび前記端末ＩＤを前記サーバに送信する第２制御部を備える携帯端末。
【請求項１１】
固有の端末ＩＤが設定された携帯端末と通信可能なサーバであって、
前記携帯端末から、前記携帯端末のユーザが乗ったマンホール蓋に固有のマンホールＩＤと、前記端末ＩＤと、を受信し、受信した前記マンホールＩＤに基づくポイントを前記端末ＩＤが設定された携帯端末のユーザに付与する第３制御部を備えるサーバ。
【請求項１２】
マンホール蓋と、携帯端末と、を用いたウォーキング支援方法であって、
前記マンホール蓋は、前記マンホール蓋に前記携帯端末を持ったユーザが乗ったことを検知すると、前記ユーザの体重を示す体重情報を前記携帯端末に送信し、
前記携帯端末は、前記マンホール蓋から前記体重情報を受信する、ウォーキング支援方法。
【請求項１３】
マンホール蓋と、携帯端末と、を用いたウォーキング支援システムであって、
前記マンホール蓋は、
前記マンホール蓋に前記携帯端末を持ったユーザが乗ったことを検知する重量センサと、
前記ユーザが乗ったことが検知されると、前記ユーザの体重を示す体重情報を前記携帯端末に送信する第１制御部と、を備え、
前記携帯端末は、前記マンホール蓋から前記体重情報を受信する第２制御部を備えるウォーキング支援システム。
【請求項１４】
携帯端末と通信可能であるマンホール蓋であって、
前記マンホール蓋に前記携帯端末を持ったユーザが乗ったことを検知する重量センサと、
前記ユーザが乗ったことが検知されると、前記ユーザの体重を示す体重情報を前記携帯端末に送信する第１制御部と、を備えるマンホール蓋。
【請求項１５】
固有のマンホールＩＤが設定されたマンホール蓋と、
固有の端末ＩＤが設定された携帯端末と、
サーバと、を用いたウォーキング支援方法であって、
前記マンホール蓋は、前記マンホール蓋に前記携帯端末を持ったユーザが乗ったことを検知すると、前記携帯端末との通信を確立し、
前記携帯端末は、通信が確立されると、前記端末ＩＤを前記マンホール蓋に送信し、
前記マンホール蓋は、前記端末ＩＤを受信し、前記マンホールＩＤおよび前記端末ＩＤを前記サーバに送信し、
前記サーバは、前記マンホール蓋から前記マンホールＩＤおよび前記端末ＩＤを受信し、受信した前記マンホールＩＤに基づくポイントを前記端末ＩＤが設定された携帯端末のユーザに付与する、ウォーキング支援方法。
【請求項１６】
固有のマンホールＩＤが設定されたマンホール蓋と、
固有の端末ＩＤが設定された携帯端末と、
サーバと、を備えるウォーキング支援システムであって、
前記マンホール蓋は、
前記マンホール蓋に前記携帯端末を持ったユーザが乗ったことを検知する重量センサと、
前記ユーザが乗ったことが検知されると、前記携帯端末との通信を確立する第１制御部と、を備え、
前記携帯端末は、通信が確立されると、前記端末ＩＤを前記マンホール蓋に送信する第２制御部を備え、
前記マンホール蓋の前記第１制御部は、前記端末ＩＤを受信し、前記マンホールＩＤおよび前記端末ＩＤを前記サーバに送信し、
前記サーバは、前記マンホール蓋から前記マンホールＩＤおよび前記端末ＩＤを受信し、受信した前記マンホールＩＤに基づくポイントを前記端末ＩＤが設定された携帯端末のユーザに付与する第３制御部を備える、ウォーキング支援システム。
【請求項１７】
固有の端末ＩＤが設定された携帯端末およびサーバと通信可能であり、固有のマンホールＩＤが設定されたマンホール蓋であって、
前記マンホール蓋に前記携帯端末を持ったユーザが乗ったことを検知する重量センサと、
前記ユーザが乗ったことが検知されると、前記携帯端末との通信を確立し、前記携帯端末から前記端末ＩＤを受信し、前記マンホールＩＤおよび前記端末ＩＤを前記サーバに送信する第１制御部と、を備えるマンホール蓋。
【請求項１８】
マンホール蓋と通信可能であり、固有の端末ＩＤが設定された携帯端末であって、
当該携帯端末を持ったユーザが乗ったことを検知した前記マンホール蓋との通信が確立されると、前記端末ＩＤを前記マンホール蓋に送信する第２制御部を備える携帯端末。
【請求項１９】
固有のマンホールＩＤが設定されたマンホール蓋と通信可能なサーバであって、
固有の端末ＩＤが設定された携帯端末を持ったユーザが乗ったことを検知した前記マンホール蓋から、前記マンホールＩＤおよび前記端末ＩＤを受信し、受信した前記マンホールＩＤに基づくポイントを前記端末ＩＤが設定された携帯端末のユーザに付与する第３制御部を備えるサーバ。
【請求項２０】
マンホール蓋と、
固有の端末ＩＤが設定された携帯端末と、
サーバと、を用いたウォーキング支援方法であって、
前記マンホール蓋は、前記マンホール蓋に前記携帯端末を持ったユーザが乗ったことを検知すると、前記携帯端末との通信を確立し、
前記携帯端末は、通信が確立されると、前記端末ＩＤを前記マンホール蓋に送信し、
前記マンホール蓋は、前記端末ＩＤを受信し、前記端末ＩＤおよび前記ユーザの体重を示す体重情報を前記サーバに送信し、
前記サーバは、前記マンホール蓋から前記端末ＩＤおよび前記体重情報を受信し、受信した前記端末ＩＤが設定された携帯端末に前記体重情報を送信する、ウォーキング支援方法。
【請求項２１】
マンホール蓋と、
固有の端末ＩＤが設定された携帯端末と、
サーバと、を用いたウォーキング支援システムであって、
前記マンホール蓋は、
前記マンホール蓋に前記携帯端末を持ったユーザが乗ったことを検知する重量センサと、
前記ユーザが乗ったことが検知されると、前記携帯端末との通信を確立する第１制御部と、を備え、
前記携帯端末は、通信が確立されると、前記端末ＩＤを前記マンホール蓋に送信する第２制御部を備え、
前記マンホール蓋の前記第１制御部は、前記端末ＩＤを受信し、前記端末ＩＤおよび前記ユーザの体重を示す体重情報を前記サーバに送信し、
前記サーバは、前記マンホール蓋から前記端末ＩＤおよび前記体重情報を受信し、受信した前記端末ＩＤが設定された携帯端末に前記体重情報を送信する第３制御部を備える、ウォーキング支援システム。
【請求項２２】
固有の端末ＩＤが設定された携帯端末およびサーバと通信可能なマンホール蓋であって、
前記マンホール蓋に前記携帯端末を持ったユーザが乗ったことを検知する重量センサと、
前記ユーザが乗ったことが検知されると、前記携帯端末との通信を確立し、前記携帯端末から前記端末ＩＤを受信し、前記端末ＩＤおよび前記ユーザの体重を示す体重情報を前記サーバに送信する第１制御部と、を備える、マンホール蓋。
【請求項２３】
マンホール蓋およびサーバと通信可能であり、固有の端末ＩＤが設定された携帯端末であって、
当該携帯端末を持ったユーザが乗ったことを検知した前記マンホール蓋との通信が確立されると、前記端末ＩＤを前記マンホール蓋に送信し、前記マンホール蓋によって取得された前記ユーザの体重を示す体重情報を前記サーバを介して受信する第２制御部を備える携帯端末。
【請求項２４】
マンホール蓋および固有の端末ＩＤが設定された携帯端末と通信可能なサーバであって、
前記携帯端末を持ったユーザが乗った前記マンホール蓋から、前記端末ＩＤおよび前記ユーザの体重を示す体重情報を受信し、受信した前記端末ＩＤが設定された携帯端末に前記体重情報を送信する第３制御部を備える、サーバ。
【請求項２５】
固有のマンホールＩＤが設定されたマンホール蓋と、
固有のタグＩＤが設定されたＲＦタグと、
サーバと、を用いたウォーキング支援方法であって、
前記マンホール蓋は、前記マンホール蓋に前記ＲＦタグを持ったユーザが乗ったことを検知すると、前記ＲＦタグとの通信を確立し、
前記ＲＦタグは、通信が確立されると、前記タグＩＤを前記マンホール蓋に送信し、
前記マンホール蓋は、前記タグＩＤを受信し、前記マンホールＩＤおよび前記タグＩＤを前記サーバに送信し、
前記サーバは、前記マンホール蓋から前記マンホールＩＤおよび前記タグＩＤを受信し、受信した前記マンホールＩＤに基づくポイントを前記タグＩＤが設定されたＲＦタグのユーザに付与する、ウォーキング支援方法。
【請求項２６】
固有のマンホールＩＤが設定されたマンホール蓋と、
固有のタグＩＤが設定されたＲＦタグと、
サーバと、を備えるウォーキング支援システムであって、
前記マンホール蓋は、
前記マンホール蓋に前記ＲＦタグを持ったユーザが乗ったことを検知する重量センサと、
前記ユーザが乗ったことが検知されると、前記ＲＦタグとの通信を確立する第１制御部と、を備え、
前記ＲＦタグは、通信が確立されると、前記タグＩＤを前記マンホール蓋に送信する第４制御部を備え、
前記マンホール蓋の前記第１制御部は、前記タグＩＤを受信し、前記マンホールＩＤおよび前記タグＩＤを前記サーバに送信し、
前記サーバは、前記マンホール蓋から前記マンホールＩＤおよび前記タグＩＤを受信し、受信した前記マンホールＩＤに基づくポイントを前記タグＩＤが設定されたＲＦタグのユーザに付与する第３制御部を備える、ウォーキング支援システム。
【請求項２７】
固有のタグＩＤが設定されたＲＦタグおよびサーバと通信可能であり、固有のマンホールＩＤが設定されたマンホール蓋であって、
前記マンホール蓋に前記ＲＦタグを持ったユーザが乗ったことを検知する重量センサと、
前記ユーザが乗ったことが検知されると、前記ＲＦタグとの通信を確立し、前記ＲＦタグから前記タグＩＤを受信し、前記マンホールＩＤおよび前記タグＩＤを前記サーバに送信する第１制御部と、を備えるマンホール蓋。
【請求項２８】
マンホール蓋と通信可能であり、固有のタグＩＤが設定されたＲＦタグであって、
当該ＲＦタグを持ったユーザが乗ったことを検知した前記マンホール蓋との通信が確立されると、前記タグＩＤを前記マンホール蓋に送信する第４制御部を備えるＲＦタグ。
【請求項２９】
固有のマンホールＩＤが設定されたマンホール蓋と通信可能なサーバであって、
固有のタグＩＤが設定されたＲＦタグを持ったユーザが乗ったことを検知した前記マンホール蓋から、前記マンホールＩＤおよび前記タグＩＤを受信し、受信した前記マンホールＩＤに基づくポイントを前記タグＩＤが設定されたＲＦタグのユーザに付与する第３制御部を備えるサーバ。
【請求項３０】
マンホール蓋と、
固有のタグＩＤが設定されたＲＦタグと、
サーバと、を用いたウォーキング支援方法であって、
前記マンホール蓋は、前記マンホール蓋に前記ＲＦタグを持ったユーザが乗ったことを検知すると、前記ＲＦタグとの通信を確立し、
前記ＲＦタグは、通信が確立されると、前記タグＩＤを前記マンホール蓋に送信し、
前記マンホール蓋は、前記タグＩＤを受信し、前記タグＩＤおよび前記ユーザの体重を示す体重情報を前記サーバに送信し、
前記サーバは、前記マンホール蓋から前記タグＩＤおよび前記体重情報を受信する、ウォーキング支援方法。
【請求項３１】
マンホール蓋と、
固有のタグＩＤが設定されたＲＦタグと、
サーバと、を用いたウォーキング支援システムであって、
前記マンホール蓋は、
前記マンホール蓋に前記ＲＦタグを持ったユーザが乗ったことを検知する重量センサと、
前記ユーザが乗ったことが検知されると、前記ＲＦタグとの通信を確立する第１制御部と、を備え、
前記ＲＦタグは、通信が確立されると、前記タグＩＤを前記マンホール蓋に送信する第４制御部を備え、
前記マンホール蓋の前記第１制御部は、前記タグＩＤを受信し、前記タグＩＤおよび前記ユーザの体重を示す体重情報を前記サーバに送信し、
前記サーバは、前記マンホール蓋から前記タグＩＤおよび前記体重情報を受信する第３制御部を備える、ウォーキング支援システム。
【請求項３２】
固有のタグＩＤが設定されたＲＦタグおよびサーバと通信可能なマンホール蓋であって、
前記マンホール蓋に前記ＲＦタグを持ったユーザが乗ったことを検知する重量センサと、
前記ユーザが乗ったことが検知されると、前記ＲＦタグとの通信を確立し、前記ＲＦタグから前記タグＩＤを受信し、前記タグＩＤおよび前記ユーザの体重を示す体重情報を前記サーバに送信する第１制御部と、を備えるマンホール蓋。
【請求項３３】
マンホール蓋および固有のタグＩＤが設定されたＲＦタグと通信可能なサーバであって、
前記ＲＦタグを持ったユーザが乗った前記マンホール蓋から、前記タグＩＤおよび前記ユーザの体重を示す体重情報を受信する第３制御部を備えるサーバ。
【発明の詳細な説明】
【技術分野】
【０００１】
本発明は、マンホール蓋を利用したウォーキング支援方法およびウォーキング支援システム、ならびに、ウォーキング支援に用いられるマンホール蓋、携帯端末、ＲＦタグおよびサーバに関する。
【背景技術】
【０００２】
マンホール蓋は、地下に埋設された下水道などの管理のために地面に開けられたマンホールに嵌められるものであり、一義的には人がマンホールに落下するのを防ぐためのものであるが、近年ではマンホール蓋を利用した様々な技術が提案されている。
例えば、特許文献１には、マンホール鉄蓋を踏むことでアンケートの質問に回答する回答収集システムが開示されている。この回答収集システムによれば、アンケートへの回答が容易になるため、アンケートに対する回答を効率的に収集できるとされている。
特許文献２には、企業や施設、イベント会場、キャラクターなど対象宣伝物の説明・広告表示、対象宣伝物への誘導表示を備えるマンホール蓋が開示されている。誘導表示として避難施設への誘導とすることもでき、災害時の対策として活用できるとされている。
特許文献３には、マンホール蓋の内部に交通機関の交通量や通過速度などを測定する情報測定部を組み込んだ測定装置が開示されている。この測定装置は、道路に簡単・迅速に設置でき、かつ、容易に交換・撤去可能であるとされている。
【先行技術文献】
【特許文献】
【０００３】
【特許文献１】特開２０１６−２０６６９２号公報
【特許文献２】特開２０１７−５３１４２号公報
【特許文献３】特開平５−１２８３３１号公報
【発明の概要】
【発明が解決しようとする課題】
【０００４】
ところで、ウォーキングは健康維持のために有効であるが、実際にはウォーキングを始めても継続しない人も少なくない。その理由の１つとして、ウォーキングの成果が見えづらく、モチベーションが生じにくいことが挙げられる。特許文献１〜３に記載の技術は、いずれもウォーキングを考慮したものではなく、これらを組み合わせたとしてもウォーキングの支援にはならない。
【０００５】
本発明はこのような問題点に鑑みてなされたものであり、本発明の課題は、ウォーキングを行うモチベーションが生じるようウォーキングを支援するウォーキング支援方法およびウォーキング支援システム、ならびに、ウォーキング支援に用いられるマンホール蓋、携帯端末、ＲＦタグおよびサーバを提供することである。
【課題を解決するための手段】
【０００６】
本発明の一態様によれば、固有のマンホールＩＤが設定されたマンホール蓋と、固有の端末ＩＤが設定された携帯端末と、サーバと、を用いたウォーキング支援方法であって、前記マンホール蓋は、前記マンホール蓋に前記携帯端末を持ったユーザが乗ったことを検知すると、前記マンホールＩＤを前記携帯端末に送信し、前記携帯端末は、前記マンホール蓋から前記マンホールＩＤを受信し、前記マンホールＩＤおよび前記端末ＩＤを前記サーバに送信し、前記サーバは、前記携帯端末から前記マンホールＩＤおよび前記端末ＩＤを受信し、受信した前記マンホールＩＤに基づくポイントを前記端末ＩＤが設定された携帯端末のユーザに付与する、ウォーキング支援方法が提供される。
【０００７】
前記サーバは、受信した前記マンホールＩＤに基づいて、ユーザが乗ったマンホール蓋の数、ユーザが乗ったマンホール蓋間の距離、ユーザが乗ったマンホール蓋間の平均歩幅、ユーザが乗ったマンホール蓋間の平均移動速度、および、１日あたりの総移動距離のうちの少なくとも１つに応じたポイントを前記端末ＩＤが設定された携帯端末のユーザに付与してもよい。
【０００８】
この場合、前記サーバは、ユーザが乗ったマンホール蓋間の平均移動速度が所定範囲内であれば健康ポイントを付与し、所定範囲外であれば健康ポイントを付与しないのが望ましい。
また、前記サーバは、ユーザが乗ったマンホール蓋間の平均移動速度が所定値に近いほど高い健康ポイントを付与するのが望ましい。
【０００９】
前記マンホール蓋は、ユーザが１日のうちの初めに乗ったものである場合、前記ユーザの体重を示す体重情報を前記携帯端末に送信してもよい。
【００１０】
前記携帯端末は、ユーザが乗ったマンホール蓋の数、ユーザが乗ったマンホール蓋間の距離、ユーザが乗ったマンホール蓋間の平均移動速度、ユーザに付与されたポイント、および、ユーザの体重のうちの少なくとも１つの変化を表示してもよい。
前記携帯端末は、付与されたポイントと交換可能なクーポンの情報を表示してもよい。
【００１１】
本発明の別の態様によれば、固有のマンホールＩＤが設定されたマンホール蓋と、固有の端末ＩＤが設定された携帯端末と、サーバと、を備えるウォーキング支援システムであって、前記マンホール蓋は、前記マンホール蓋に前記携帯端末を持ったユーザが乗ったことを検知する重量センサと、前記ユーザが乗ったことが検知されると、前記マンホールＩＤを前記携帯端末に送信する第１制御部と、を備え、前記携帯端末は、前記マンホール蓋から前記マンホールＩＤを受信し、前記マンホールＩＤおよび前記端末ＩＤを前記サーバに送信する第２制御部を備え、前記サーバは、前記携帯端末から前記マンホールＩＤおよび前記端末ＩＤを受信し、受信した前記マンホールＩＤに基づくポイントを前記端末ＩＤが設定された携帯端末のユーザに付与する第３制御部を備える、ウォーキング支援システムが提供される。
【００１２】
本発明の別の態様によれば、携帯端末と通信可能であり、固有のマンホールＩＤが設定されたマンホール蓋であって、前記マンホール蓋に前記携帯端末を持ったユーザが乗ったことを検知する重量センサと、前記ユーザが乗ったことが検知されると、前記マンホールＩＤを前記携帯端末に送信する第１制御部と、を備えるマンホール蓋が提供される。
【００１３】
本発明の別の態様によれば、固有のマンホールＩＤが設定されたマンホール蓋およびサーバと通信可能であり、固有の端末ＩＤが設定された携帯端末であって、前記携帯端末のユーザが前記マンホール蓋に乗ると、前記マンホール蓋から前記マンホールＩＤを受信し、前記マンホールＩＤおよび前記端末ＩＤを前記サーバに送信する第２制御部を備える携帯端末が提供される。
【００１４】
本発明の別の態様によれば、固有の端末ＩＤが設定された携帯端末と通信可能なサーバであって、前記携帯端末から、前記携帯端末のユーザが乗ったマンホール蓋に固有のマンホールＩＤと、前記端末ＩＤと、を受信し、受信した前記マンホールＩＤに基づくポイントを前記端末ＩＤが設定された携帯端末のユーザに付与する第３制御部を備えるサーバが提供される。
【００１５】
本発明の別の態様によれば、マンホール蓋と、携帯端末と、を用いたウォーキング支援方法であって、前記マンホール蓋は、前記マンホール蓋に前記携帯端末を持ったユーザが乗ったことを検知すると、前記ユーザの体重を示す体重情報を前記携帯端末に送信し、前記携帯端末は、前記マンホール蓋から前記体重情報を受信する、ウォーキング支援方法が提供される。
【００１６】
本発明の別の態様によれば、マンホール蓋と、携帯端末と、を用いたウォーキング支援システムであって、前記マンホール蓋は、前記マンホール蓋に前記携帯端末を持ったユーザが乗ったことを検知する重量センサと、前記ユーザが乗ったことが検知されると、前記ユーザの体重を示す体重情報を前記携帯端末に送信する第１制御部と、を備え、前記携帯端末は、前記マンホール蓋から前記体重情報を受信する第２制御部を備えるウォーキング支援システムが提供される。
【００１７】
本発明の別の態様によれば、携帯端末と通信可能であるマンホール蓋であって、前記マンホール蓋に前記携帯端末を持ったユーザが乗ったことを検知する重量センサと、前記ユーザが乗ったことが検知されると、前記ユーザの体重を示す体重情報を前記携帯端末に送信する第１制御部と、を備えるマンホール蓋が提供される。
【００１８】
本発明の別の態様によれば、固有のマンホールＩＤが設定されたマンホール蓋と、固有の端末ＩＤが設定された携帯端末と、サーバと、を用いたウォーキング支援方法であって、前記マンホール蓋は、前記マンホール蓋に前記携帯端末を持ったユーザが乗ったことを検知すると、前記携帯端末との通信を確立し、前記携帯端末は、通信が確立されると、前記端末ＩＤを前記マンホール蓋に送信し、前記マンホール蓋は、前記端末ＩＤを受信し、前記マンホールＩＤおよび前記端末ＩＤを前記サーバに送信し、前記サーバは、前記マンホール蓋から前記マンホールＩＤおよび前記端末ＩＤを受信し、受信した前記マンホールＩＤに基づくポイントを前記端末ＩＤが設定された携帯端末のユーザに付与する、ウォーキング支援方法が提供される。
【００１９】
本発明の別の態様によれば、固有のマンホールＩＤが設定されたマンホール蓋と、固有の端末ＩＤが設定された携帯端末と、サーバと、を備えるウォーキング支援システムであって、前記マンホール蓋は、前記マンホール蓋に前記携帯端末を持ったユーザが乗ったことを検知する重量センサと、前記ユーザが乗ったことが検知されると、前記携帯端末との通信を確立する第１制御部と、を備え、前記携帯端末は、通信が確立されると、前記端末ＩＤを前記マンホール蓋に送信する第２制御部を備え、前記マンホール蓋の前記第１制御部は、前記端末ＩＤを受信し、前記マンホールＩＤおよび前記端末ＩＤを前記サーバに送信し、前記サーバは、前記マンホール蓋から前記マンホールＩＤおよび前記端末ＩＤを受信し、受信した前記マンホールＩＤに基づくポイントを前記端末ＩＤが設定された携帯端末のユーザに付与する第３制御部を備える、ウォーキング支援システムが提供される。
【００２０】
本発明の別の態様によれば、固有の端末ＩＤが設定された携帯端末およびサーバと通信可能であり、固有のマンホールＩＤが設定されたマンホール蓋であって、前記マンホール蓋に前記携帯端末を持ったユーザが乗ったことを検知する重量センサと、前記ユーザが乗ったことが検知されると、前記携帯端末との通信を確立し、前記携帯端末から前記端末ＩＤを受信し、前記マンホールＩＤおよび前記端末ＩＤを前記サーバに送信する第１制御部と、を備えるマンホール蓋が提供される。
【００２１】
本発明の別の態様によれば、マンホール蓋と通信可能であり、固有の端末ＩＤが設定された携帯端末であって、当該携帯端末を持ったユーザが乗ったことを検知した前記マンホール蓋との通信が確立されると、前記端末ＩＤを前記マンホール蓋に送信する第２制御部を備える携帯端末が提供される。
【００２２】
本発明の別の態様によれば、固有のマンホールＩＤが設定されたマンホール蓋と通信可能なサーバであって、固有の端末ＩＤが設定された携帯端末を持ったユーザが乗ったことを検知した前記マンホール蓋から、前記マンホールＩＤおよび前記端末ＩＤを受信し、受信した前記マンホールＩＤに基づくポイントを前記端末ＩＤが設定された携帯端末のユーザに付与する第３制御部を備えるサーバが提供される。
【００２３】
本発明の別の態様によれば、マンホール蓋と、固有の端末ＩＤが設定された携帯端末と、サーバと、を用いたウォーキング支援方法であって、前記マンホール蓋は、前記マンホール蓋に前記携帯端末を持ったユーザが乗ったことを検知すると、前記携帯端末との通信を確立し、前記携帯端末は、通信が確立されると、前記端末ＩＤを前記マンホール蓋に送信し、前記マンホール蓋は、前記端末ＩＤを受信し、前記端末ＩＤおよび前記ユーザの体重を示す体重情報を前記サーバに送信し、前記サーバは、前記マンホール蓋から前記端末ＩＤおよび前記体重情報を受信し、受信した前記端末ＩＤが設定された携帯端末に前記体重情報を送信する、ウォーキング支援方法が提供される。
【００２４】
本発明の別の態様によれば、マンホール蓋と、固有の端末ＩＤが設定された携帯端末と、サーバと、を用いたウォーキング支援システムであって、前記マンホール蓋は、前記マンホール蓋に前記携帯端末を持ったユーザが乗ったことを検知する重量センサと、前記ユーザが乗ったことが検知されると、前記携帯端末との通信を確立する第１制御部と、を備え、前記携帯端末は、通信が確立されると、前記端末ＩＤを前記マンホール蓋に送信する第２制御部を備え、前記マンホール蓋の前記第１制御部は、前記端末ＩＤを受信し、前記端末ＩＤおよび前記ユーザの体重を示す体重情報を前記サーバに送信し、前記サーバは、前記マンホール蓋から前記端末ＩＤおよび前記体重情報を受信し、受信した前記端末ＩＤが設定された携帯端末に前記体重情報を送信する第３制御部を備える、ウォーキング支援システムが提供される。
【００２５】
本発明の別の態様によれば、固有の端末ＩＤが設定された携帯端末およびサーバと通信可能なマンホール蓋であって、前記マンホール蓋に前記携帯端末を持ったユーザが乗ったことを検知する重量センサと、前記ユーザが乗ったことが検知されると、前記携帯端末との通信を確立し、前記携帯端末から前記端末ＩＤを受信し、前記端末ＩＤおよび前記ユーザの体重を示す体重情報を前記サーバに送信する第１制御部と、を備える、マンホール蓋が提供される。
【００２６】
本発明の別の態様によれば、マンホール蓋およびサーバと通信可能であり、固有の端末ＩＤが設定された携帯端末であって、当該携帯端末を持ったユーザが乗ったことを検知した前記マンホール蓋との通信が確立されると、前記端末ＩＤを前記マンホール蓋に送信し、前記マンホール蓋によって取得された前記ユーザの体重を示す体重情報を前記サーバを介して受信する第２制御部を備える携帯端末が提供される。
【００２７】
本発明の別の態様によれば、マンホール蓋および固有の端末ＩＤが設定された携帯端末と通信可能なサーバであって、前記携帯端末を持ったユーザが乗った前記マンホール蓋から、前記端末ＩＤおよび前記ユーザの体重を示す体重情報を受信し、受信した前記端末ＩＤが設定された携帯端末に前記体重情報を送信する第３制御部を備える、サーバが提供される。
【００２８】
本発明の別の態様によれば、固有のマンホールＩＤが設定されたマンホール蓋と、固有のタグＩＤが設定されたＲＦタグと、サーバと、を用いたウォーキング支援方法であって、前記マンホール蓋は、前記マンホール蓋に前記ＲＦタグを持ったユーザが乗ったことを検知すると、前記ＲＦタグとの通信を確立し、前記ＲＦタグは、通信が確立されると、前記タグＩＤを前記マンホール蓋に送信し、前記マンホール蓋は、前記タグＩＤを受信し、前記マンホールＩＤおよび前記タグＩＤを前記サーバに送信し、前記サーバは、前記マンホール蓋から前記マンホールＩＤおよび前記タグＩＤを受信し、受信した前記マンホールＩＤに基づくポイントを前記タグＩＤが設定されたＲＦタグのユーザに付与する、ウォーキング支援方法が提供される。
【００２９】
本発明の別の態様によれば、固有のマンホールＩＤが設定されたマンホール蓋と、固有のタグＩＤが設定されたＲＦタグと、サーバと、を備えるウォーキング支援システムであって、前記マンホール蓋は、前記マンホール蓋に前記ＲＦタグを持ったユーザが乗ったことを検知する重量センサと、前記ユーザが乗ったことが検知されると、前記ＲＦタグとの通信を確立する第１制御部と、を備え、前記ＲＦタグは、通信が確立されると、前記タグＩＤを前記マンホール蓋に送信する第４制御部を備え、前記マンホール蓋の前記第１制御部は、前記タグＩＤを受信し、前記マンホールＩＤおよび前記タグＩＤを前記サーバに送信し、前記サーバは、前記マンホール蓋から前記マンホールＩＤおよび前記タグＩＤを受信し、受信した前記マンホールＩＤに基づくポイントを前記タグＩＤが設定されたＲＦタグのユーザに付与する第３制御部を備える、ウォーキング支援システムが提供される。
【００３０】
本発明の別の態様によれば、固有のタグＩＤが設定されたＲＦタグおよびサーバと通信可能であり、固有のマンホールＩＤが設定されたマンホール蓋であって、前記マンホール蓋に前記ＲＦタグを持ったユーザが乗ったことを検知する重量センサと、前記ユーザが乗ったことが検知されると、前記ＲＦタグとの通信を確立し、前記ＲＦタグから前記タグＩＤを受信し、前記マンホールＩＤおよび前記タグＩＤを前記サーバに送信する第１制御部と、を備えるマンホール蓋が提供される。
【００３１】
本発明の別の態様によれば、マンホール蓋と通信可能であり、固有のタグＩＤが設定されたＲＦタグであって、当該ＲＦタグを持ったユーザが乗ったことを検知した前記マンホール蓋との通信が確立されると、前記タグＩＤを前記マンホール蓋に送信する第４制御部を備えるＲＦタグが提供される。
【００３２】
本発明の別の態様によれば、固有のマンホールＩＤが設定されたマンホール蓋と通信可能なサーバであって、固有のタグＩＤが設定されたＲＦタグを持ったユーザが乗ったことを検知した前記マンホール蓋から、前記マンホールＩＤおよび前記タグＩＤを受信し、受信した前記マンホールＩＤに基づくポイントを前記タグＩＤが設定されたＲＦタグのユーザに付与する第３制御部を備えるサーバが提供される。
【００３３】
本発明の別の態様によれば、マンホール蓋と、固有のタグＩＤが設定されたＲＦタグと、サーバと、を用いたウォーキング支援方法であって、前記マンホール蓋は、前記マンホール蓋に前記ＲＦタグを持ったユーザが乗ったことを検知すると、前記ＲＦタグとの通信を確立し、前記ＲＦタグは、通信が確立されると、前記タグＩＤを前記マンホール蓋に送信し、前記マンホール蓋は、前記タグＩＤを受信し、前記タグＩＤおよび前記ユーザの体重を示す体重情報を前記サーバに送信し、前記サーバは、前記マンホール蓋から前記タグＩＤおよび前記体重情報を受信する、ウォーキング支援方法が提供される。
【００３４】
本発明の別の態様によれば、マンホール蓋と、固有のタグＩＤが設定されたＲＦタグと、サーバと、を用いたウォーキング支援システムであって、前記マンホール蓋は、前記マンホール蓋に前記ＲＦタグを持ったユーザが乗ったことを検知する重量センサと、前記ユーザが乗ったことが検知されると、前記ＲＦタグとの通信を確立する第１制御部と、を備え、前記ＲＦタグは、通信が確立されると、前記タグＩＤを前記マンホール蓋に送信する第４制御部を備え、前記マンホール蓋の前記第１制御部は、前記タグＩＤを受信し、前記タグＩＤおよび前記ユーザの体重を示す体重情報を前記サーバに送信し、前記サーバは、前記マンホール蓋から前記タグＩＤおよび前記体重情報を受信する第３制御部を備える、ウォーキング支援システムが提供される。
【００３５】
本発明の別の態様によれば、固有のタグＩＤが設定されたＲＦタグおよびサーバと通信可能なマンホール蓋であって、前記マンホール蓋に前記ＲＦタグを持ったユーザが乗ったことを検知する重量センサと、前記ユーザが乗ったことが検知されると、前記ＲＦタグとの通信を確立し、前記ＲＦタグから前記タグＩＤを受信し、前記タグＩＤおよび前記ユーザの体重を示す体重情報を前記サーバに送信する第１制御部と、を備えるマンホール蓋が提供される。
【００３６】
本発明の別の態様によれば、マンホール蓋および固有のタグＩＤが設定されたＲＦタグと通信可能なサーバであって、前記ＲＦタグを持ったユーザが乗った前記マンホール蓋から、前記タグＩＤおよび前記ユーザの体重を示す体重情報を受信する第３制御部を備えるサーバが提供される。
【発明の効果】
【００３７】
マンホール蓋に乗ることでポイントが付与されたり、体重が管理されたりするため、ウォーキングの成果が見え、ウォーキングを行うモチベーションが生じさせることができ、ウォーキングを支援できる。
【図面の簡単な説明】
【００３８】
【図１】第１の実施形態に係るウォーキング支援システムの概略構成図。
【図２】第１の実施形態に係るウォーキング支援システムの処理動作の一例を示すシーケンス図。
【図３】ポイントテーブルの構造例を示す図。
【図４】健康ポイントＰｓの一例を模式的に示す図。
【図５】健康ポイントＰｓの別の例を模式的に示す図。
【図６】表示部２５に表示されるグラフを模式的に示す図。
【図７】第２の実施形態に係るウォーキング支援システムの概略構成図。
【図８】第２の実施形態に係るウォーキング支援システムの処理動作の一例を示すシーケンス図。
【図９】第３の実施形態に係るウォーキング支援システムの概略構成図。
【図１０】第４の実施形態に係るウォーキング支援システムの処理動作の一例を示すシーケンス図。
【発明を実施するための形態】
【００３９】
以下、本発明に係る実施形態について、図面を参照しながら具体的に説明する。
【００４０】
（第１の実施形態）
図１は、第１の実施形態に係るウォーキング支援システムの概略構成図である。ウォーキング支援システムは、マンホール蓋１と、携帯端末２と、サーバ３とを備えている。
【００４１】
マンホール蓋１は、マンホールに嵌められる蓋本体（不図示）に加え、近距離通信部１１と、アンテナ１１ａと、重量センサ１２と、制御部１３と、表示部１４と、太陽電池１５と、蓄電池１５ａとを有する。また、通常、ウォーキング支援システムにおけるマンホール蓋１は複数あり、そのそれぞれに固有のマンホールＩＤが設定されている。
【００４２】
近距離通信部１１は、アンテナ１１ａを介してマンホール蓋１と携帯端末２との間で情報の送受信を行うためのものであり、通信用ＩＣなどから構成され得る。このアンテナ１１ａは、マンホール蓋１に乗ったユーザが持つ携帯端末２のみと通信すべく、指向性が高いのが望ましい。通信の種類に特に制限はなく、例えばＢｌｕｅｔｏｏｔｈ（登録商標）を利用してよい。なお、マンホール蓋１から携帯端末２への通信経路と、携帯端末２からマンホール蓋１への通信経路とが異なっていてもよいし、同一であってもよい。
【００４３】
重量センサ１２は、例えば蓋本体の上面に設置され、マンホール蓋１上の物体の重量を計測する。具体的には、重量センサ１２は、計測される重量が所定値以上である場合に、ユーザがマンホール蓋１に乗ったと判断する。また、重量センサ１２はマンホール蓋１に乗ったユーザの体重を計測し、この体重を示す体重情報を生成する。
【００４４】
制御部１３は蓋本体に内蔵され、携帯端末２との情報送受信の制御や表示部１４の制御を行う。具体的には、制御部１３は、近距離通信部１１を介して、体重情報やマンホールＩＤを携帯端末２に送信したり、発光パターン情報（後述）を携帯端末２から受信したりする。また、制御部１３は受信した発光パターン情報に応じて表示部１４を発光させる。
【００４５】
表示部１４は、例えば蓋本体の上面など見やすい位置に設置される。表示部１４は、例えば複数色のＬＥＤから構成され、制御部１３の制御を受けて発光パターン情報によって定まる発光パターンで発光する。
【００４６】
太陽電池１５は、例えば蓋本体の上面など太陽光を受けやすい位置に設置され、太陽光を利用して電力を生成する。生成された電力は蓄電池１５ａに蓄えられ、近距離通信部１１、重量センサ１２、制御部１３および表示部１４の少なくとも一部が駆動される。他の種類の電源を用いてもよいが、マンホール蓋１は屋外に設置され、長時間太陽光を受けるので、太陽電池１５を用いるのが好適である。
【００４７】
携帯端末２は、ユーザが携帯するスマートフォン、タブレット、ノートＰＣ、ウェアラブルデバイスその他任意のコンピュータであってよく、近距離通信部２１と、アンテナ２１ａと、遠距離通信部２２と、アンテナ２２ａと、ＧＰＳ受信装置２３と、制御部２４と、表示部２５とを有する。また、各携帯端末２には固有の端末ＩＤが設定されている。通常、携帯端末２は特定のユーザが用いるため、端末ＩＤはユーザに固有とも言える。
【００４８】
近距離通信部２１は、アンテナ２１ａを介して携帯端末２とマンホール蓋１との間で情報の送受信を行うためのものであり、通信用ＩＣなどから構成され得る。通信の種類に特に制限はなく、例えばＢｌｕｅｔｏｏｔｈ（登録商標）を利用してよい。なお、携帯端末２からマンホール蓋１への通信経路と、マンホール蓋１から携帯端末２への通信経路とが異なっていてもよいし、同一であってもよい。
【００４９】
遠距離通信部２２は、アンテナ２２ａを介して携帯端末２とサーバ３との間で情報の送受信を行うためのものであり、通信用ＩＣなどから構成され得る。通信の種類の特に制限はなく、インターネット回線やＷｉＦｉ（登録商標）を利用してよい。なお、携帯端末２からサーバ３への通信経路と、サーバ３から携帯端末２への通信経路とが異なっていてもよいし、同一であってもよい。また、近距離通信用のアンテナ２１ａと遠距離通信用のアンテナ２２ａとを共用してもよい。
【００５０】
ＧＰＳ受信装置２３は自己位置測定手段の一例であり、ＧＰＳ衛星からの信号を受け取り、携帯端末２の現在位置を計測する。計測された現在位置は、遠距離通信部２２を介してサーバ３に送信され得る。
【００５１】
制御部２４は、通信制御部２４１と、表示制御部２４２と、歩数カウント部２４３と、クーポン制御部２４４とを有する。制御部２４の一部または全部は、携帯端末２のプロセッサが所定のプログラムを実行することにより動作するウォーキング支援アプリとして実装されてもよい。
【００５２】
通信制御部２４１はマンホール蓋１およびサーバ３との情報送受信の制御を行う。具体的には、通信制御部２４１は、近距離通信部２１を介して、体重情報やマンホールＩＤをマンホール蓋１から受信したり、発光パターン情報をマンホール蓋１に送信したりする。また、通信制御部２４１は、遠距離通信部２２を介して、後述する種々の情報をサーバ３と送受信する。
【００５３】
表示制御部２４２は表示部２５の制御を行う。具体的には、表示制御部２４２はマンホール蓋１やサーバ３から受信した情報に応じた画面を表示部２５に表示させる。また、表示制御部２４２は、サーバ３からの情報に基づいて、マンホール蓋１の表示部１４の発光パターンを示す発光パターン情報を生成してもよい。その他、表示制御部２４２は、地図アプリと連携し、マンホール蓋１の設置位置を検索して表示部２５に表示してもよい。
【００５４】
歩数カウント部２４３は、携帯端末２に内蔵された加速度センサ（不図示）を利用し、ユーザの歩数をカウントする。歩数カウント部２４３は、ある期間の移動距離（ＧＰＳ受信装置２３から得られる）と、同期間でカウントされた歩数と、から歩幅を割り出してもよい。カウントされた歩数あるいは歩幅は、遠距離通信部２２を介してサーバ３に送信され得る。
【００５５】
クーポン制御部２４４は、本ウォーキング支援システムに参画している地域の商店街や小売店で使用可能であり、かつ、健康ポイント（後述）と交換可能なクーポンに関する情報を表示部２５に表示させる。特定のクーポンが選択されると、クーポン制御部２４４は選択されたクーポンをユーザに付与し、選択されたクーポンに対応する健康ポイントを消費するようサーバ３に通知する。
【００５６】
サーバ３は、遠距離通信部３１と、アンテナ３１ａと、記憶部３２と、制御部３３とを有するバックサーバである。なお、サーバ３は複数装置から構成されてもよい。
【００５７】
遠距離通信部３１は、アンテナ３１ａを介してサーバ３と携帯端末２との間で情報の送受信を行うためのものであり、通信用ＩＣなどから構成され得る。通信の種類の特に制限はなく、インターネット回線やＷｉＦｉ（登録商標）を利用してよい。なお、サーバ３から携帯端末２への通信経路と、携帯端末２からサーバ３への通信経路とが異なっていてもよいし、同一であってもよい。
【００５８】
記憶部３２は、例えばハードディスクであり、各種の情報を記憶する。具体的には、記憶部３２は、携帯端末２から受信した情報が示す種々のデータを端末ＩＤと関連付けて（すなわち、端末ＩＤが設定された携帯端末２のユーザと関連付けて）記憶する。記憶されるデータは、例えばユーザの体重、ユーザが乗ったマンホール蓋１の数、ユーザの移動距離、ユーザに付与された健康ポイント、ユーザの平均移動速度などである。また、記憶部３２は各ユーザに付与された健康ポイントも記憶する。
【００５９】
制御部３３は、通信制御部３３１と、ポイント付与部３３２と、データ管理部３３３とを有する。
【００６０】
通信制御部３３１は携帯端末との情報送受信の制御を行う。具体的には、通信制御部３３１は遠距離通信部３１を介して携帯端末２と種々の情報を送受信する。
【００６１】
ポイント付与部３３２は、携帯端末２からの情報に基づいて健康ポイントを付与し、記憶部３２に保存する。具体的には、ポイント付与部３３２は、受信した端末ＩＤが設定された携帯端末２のユーザに、受信したマンホールＩＤに基づく健康ポイントを付与する。ポイント付与の手法については、後に詳しく説明する。
【００６２】
健康ポイントは、上述したクーポン制御部２４４によってクーポンとの交換が可能である。また、健康ポイントは、民間のポイントサービスと連携し、そのポイントサービスにおけるポイントと交換可能であってもよい。
【００６３】
データ管理部３３３は、携帯端末２からの各種データや、記憶部３２に保存された各種データを管理する。例えば、データ管理部３３３は、ユーザの体重、ユーザが乗ったマンホール蓋１の数、ユーザの移動距離、ユーザに付与された健康ポイント（後述）、ユーザの平均移動速度などの変化を算出し、これを表示するための情報を生成する。また、データ管理部３３３は、携帯端末２からの各種データや、記憶部３２に保存された各種データに基づき、マンホール蓋１における表示部１４の発光パターンを定める発光パターン情報を生成してもよい。
【００６４】
図２は、第１の実施形態に係るウォーキング支援システムの処理動作の一例を示すシーケンス図である。
ユーザがマンホール蓋１に乗ると、重量センサ１２による重量計測結果が所定値を超え、これによってユーザがマンホール蓋１に乗ったことが検知される（ステップＳ１１のＹＥＳ）。
【００６５】
これに応じて、マンホール蓋１における近距離通信部１１は携帯端末２との通信を確立する（ステップＳ１２）。例えば、近距離通信部１１が所定の問い合わせ信号を送信し、携帯端末２の近距離通信部２１から所定の応答信号が受信することで通信が確立される。この際、携帯端末２の通信制御部２４１は、その日初めてマンホール蓋１と通信を行う場合（すなわち、ユーザがその日初めてマンホール蓋１に乗った場合）、その旨をマンホール蓋１に通知する。
【００６６】
マンホール蓋１の制御部１３は、この通知を受けた場合には（ステップＳ１３のＹＥＳ）、重量センサ１２によって計測されたユーザの体重を示す体重情報およびマンホール蓋１に設定されたマンホールＩＤを、近距離通信部１１を介して携帯端末２に送信する（ステップＳ１４，Ｓ１５）。同通知を受けない場合、制御部１３はマンホール蓋１に設定されたマンホールＩＤを、近距離通信部１１を介して携帯端末２に送信する（ステップＳＳ１５）このように、初めにマンホール蓋１に乗った際の体重情報が携帯端末２に送信される。
【００６７】
以下、体重情報が送信される場合（つまり、１日の初めにマンホール蓋１に乗った場合）について説明する。体重情報が送信されない場合については、体重情報に関する処理が省略される。なお、その日初めてか否かに関わらずマンホール蓋１から携帯端末２に体重情報を送信し、携帯端末２側でその日初めてか否かを判断してもよい。
【００６８】
携帯端末２の通信制御部２４１は、近距離通信部２１を介して、マンホールＩＤおよび体重情報をマンホール蓋１から受信する（ステップＳ２１）。この際、表示制御部２４２は受信した体重情報が示す体重を表示部２５に表示してもよい。そして、通信制御部２４１は、遠距離通信部２２を介して、マンホールＩＤ、体重情報および端末ＩＤをサーバ３に送信する。このとき、予め携帯端末２に服装（夏服か冬服か等）や荷物の有無を設定しておき、通信制御部２４１は重量センサ１２による計測結果から適宜減算した上で、送信してもよい。また、通信制御部２４１は、歩数カウント部２４３でカウントされた歩数あるいは歩幅、ＧＰＳ受信装置２３で取得された現在位置を示す情報をサーバ３に送信してもよい。  
【００６９】
サーバ３の通信制御部３３１は、携帯端末２からのデータを受信し、記憶部３２に保存する（ステップＳ３１）。
【００７０】
続いて、ポイント付与部３３２は、受信した端末ＩＤが設定された携帯端末２のユーザに、受信したマンホールＩＤに基づく健康ポイントを付与する（ステップＳ３２）。具体的な付与の手法は後述する。
【００７１】
データ管理部３３３は、携帯端末２から受信した情報や、記憶部３２に保存された各種データを利用し、携帯端末２の表示部２５に所定の表示（例えば、ユーザの体重、ユーザが乗ったマンホール蓋１の数、ユーザの移動距離、ユーザに付与された健康ポイント、ユーザの平均移動速度などの変化のグラフ表示）を行うための表示情報を生成する。また、データ管理部３３３は、携帯端末２から受信した情報や、記憶部３２に保存された各種データに基づいて、マンホール蓋１における表示部１４の発光パターンを定める発光パターン情報を生成する。そして、通信制御部３３１は、遠距離通信部３１を介して、これら表示情報や発光パターン情報を携帯端末２に送信する（ステップＳ３３）。
【００７２】
なお、データ管理部３３３は、前回受信した体重情報が示す体重と、今回受信した体重情報が示す体重との差が大きい（所定値を超える）場合、携帯端末２を持った人が本来のユーザではないと判断し、ポイント付与部３３２による健康ポイント付与を行わないようにしてもよい。これにより、他人に健康ポイントを稼いでもらうといった悪用を防げる。
【００７３】
携帯端末２の通信制御部２４１は、遠距離通信部２２を介して、表示情報および発光パターン情報をサーバ３から受信する（ステップＳ２３）。そして、表示制御部２４２は表示情報に基づく画面を表示部２５に表示させる。具体的な表示例は後述する。また、通信制御部２４１は、近距離通信部２１を介して、発光パターン情報をマンホール蓋１に送信する（ステップＳ２４）。
【００７４】
マンホール蓋１の制御部１３は、近距離通信部１１を介して発光パターン情報を携帯端末２から受信し、発光パターン情報に応じて表示部１４を発光させる（ステップＳ１６）。
【００７５】
一例として、発光パターン情報は、体重の増加量が大きい場合には表示部１４が橙色に発光し、体重の減少量が大きい場合には表示部１４が緑色に発光し、体重の増減がそれほどない場合には表示部１４が黄色に発光するように設定されてもよい。別の例として、発光パターン情報は、健康ポイントの増加量が大きい場合には表示部１４が緑色に発光し、健康ポイントの増加量が小さい場合には表示部１４が橙色に発光するように設定されてもよい。
【００７６】
続いて、ポイント付与部３３２による健康ポイント付与（図２のステップＳ３２）について、具体例を説明する。
【００７７】
ポイント付与部３３２は、予め定めたポイントテーブルに基づいて健康ポイントを付与してもよい。図３は、ポイントテーブルの構造例を示す図であり、記憶部３２に記憶されている。図示のように、ポイントテーブルは、マンホールＩＤと、付与される健康ポイントとの関係を示している。例えば、携帯端末２から受信したマンホールＩＤがＭ０１の場合、付与される健康ポイントは１０ポイントである。マンホールＩＤと付与される健康ポイントとの関係は固定でもよいし、ウォーキング支援システムの提供者が任意に変更可能であってもよい。
【００７８】
また、ポイント付与部３３２は、１日に乗ったマンホール蓋１の数、マンホール蓋１間の距離、マンホール蓋１間の平均移動速度、マンホール蓋１間の平均歩幅のうちの少なくとも１つに応じて、付与される健康ポイントを決定してもよい。
【００７９】
１日に乗ったマンホール蓋１の数は、１日にサーバ３が受信したマンホールＩＤの数から把握できる。
【００８０】
マンホール蓋１間の距離は、マンホールＩＤとその位置（例えば緯度および経度）とを関連付けて記憶部３２に記憶しておき、ポイント付与部３３２が算出してもよい。
【００８１】
マンホール蓋１間の平均移動速度は、サーバ３が連続する２つのマンホールＩＤを受信した時間差と、該当するマンホール蓋１間の距離とからポイント付与部３３２が算出してもよい。
【００８２】
マンホール蓋１間の平均歩幅は、サーバ３が連続する２つのマンホールＩＤを受信した時間にカウントされた歩数と、該当するマンホール蓋１間の距離とからポイント付与部３３２が算出してもよい。あるいは、携帯端末２から直接受信するようにしてもよい。
【００８３】
より具体的には、ポイント付与部３３２は下式に基づいて付与される健康ポイントを算出してもよい。
健康ポイント＝Ｐｍ＊Ｎｍ＋
Σ（Ｐｄ＊Ｄｘｙ＋Ｐｘ（Ｓｘｙ−Ｓ０）＋Ｐｌ（Ｌｘｙ−Ｌ０）
（ただし、Ｓｘｙ，Ｌｘｙは所定の下限値Ｓ０，Ｌ０および上限値で固定されるものとする。また、Σは１日に乗ったマンホール蓋１間についての総和を意味するものとする）
【００８４】
ここで、各パラメータは以下のとおりである。
Ｎｍ：１日に乗ったマンホール蓋１の数
Ｄｘｙ：マンホール蓋ｘとマンホール蓋ｙとの間の距離
Ｓｘｙ：マンホール蓋ｘとマンホール蓋ｙとの間の平均移動速度（Ｓ０はその下限）
Ｌｘｙ：マンホール蓋ｘとマンホール蓋ｙとの間の平均歩幅（Ｌ０はその下限）
Ｐｍ：１つのマンホール蓋１に乗った場合に付与される健康ポイント
Ｐｄ：単位移動距離に応じて付与される健康ポイント
Ｐｓ：平均移動速度に応じて付与される健康ポイント
Ｐｌ：平均歩幅に応じて付与される健康ポイント
【００８５】
なお、Ｐｍ，Ｐｄ，Ｐｓ，Ｐｌは定数でもよいし、任意に変動させてもよい。以下、平均移動速度に応じて付与される健康ポイントＰｓ（以下、単に健康ポイントＰｓと呼ぶ）を平均移動速度Ｓｘｙに応じて変動させる例を示す。
【００８６】
図４は、健康ポイントＰｓの一例を模式的に示す図である。平均移動速度Ｓｘｙが速いほどカロリー消費が大きいため、健康ポイントＰｓを大きくする。ただし、平均移動速度Ｓｘｙが速すぎると無酸素運動（心拍数が平常時の概ね２倍以上となる激しい運動）となって健康維持に悪影響の可能性があるため、健康ポイントＰｓを０として健康ポイントを付与しない。
【００８７】
図５は、健康ポイントＰｓの別の例を模式的に示す図である。平均移動速度Ｓｘｙがウォーキングとして健康維持に最適な平均移動速度Ｓｏｐｔに近いほど、健康ポイントＰｄを大きくしてもよい。最適な平均移動速度Ｓｏｐｔは、年齢や体力などに応じて各個人に算出され、サーバ３のポイント付与部３３２に予め通知されるとともに、携帯端末２の表示部２５に表示可能であってもよい。一方、ウォーキングでは考えられないほど平均移動速度Ｓｘｙが遅すぎる場合（Ｓｘｙ１以下）や速すぎる場合（Ｓｘｙ２以上）には、健康ポイントＰｓを０として健康ポイントを付与しない。
【００８８】
また、上記とは別に、ポイント付与部３３２は１日当たりの総移動距離に応じて健康ポイントを付与してもよい。総移動距離は、例えばマンホール蓋１間の距離を累積してもよいし、携帯端末２におけるＧＰＳ受信装置２３で取得された携帯端末２の位置を利用してもよい。ただし、総移動距離のうち、平均移動速度が速すぎる区間は除くのが望ましい。
【００８９】
さらに、ポイント付与部３３２は、天気、時間、曜日など外的要因に合わせた特別な健康ポイントを加算してもよい。例えば、雨の日、週末、早朝にマンホール蓋１に乗った場合に特別な健康ポイントを加算することで、ウォーキングの定期的な継続を促すようにしてもよい。
【００９０】
続いて、サーバ３のデータ管理部３３４および表示部２５に表示されるデータについて説明する。データ管理部３３４は、ユーザの体重、ユーザが乗ったマンホール蓋１の数、ユーザの移動距離、ユーザに付与された健康ポイント、ユーザの平均移動速度などの変化をグラフ化するための表示情報を生成する。そして、この表示情報に基づいて、表示制御部２４２は表示部２５にグラフを表示する。
【００９１】
図６は、表示部２５に表示されるグラフを模式的に示す図である。図示のように、時間の経過が横軸に示され、所定単位時間（同図では、週単位）内におけるデータ（同図では、体重）が縦軸に示される。表示の単位時間は、週単位のほか、月単位や年単位であってもよい。表示するデータは、ユーザの体重、ユーザが乗ったマンホール蓋１の数、ユーザの移動距離、ユーザに付与された健康ポイント、ユーザの平均移動速度のすべてでもよいし、一部でもよいし、他のデータを含んでいてもよい。
【００９２】
その他、データ管理部３３３は、地図アプリと連携して過去に乗ったマンホール蓋１を、直近１週間、直近３ヶ月、直近６ヶ月などの単位で地図上にマッピングして表示するための情報を生成してもよい。
【００９３】
また、データ管理部３３３は、年齢層や体型別などに、参加者を複数のカテゴリに分類し、同一カテゴリ内で、乗ったマンホール蓋１の数や、総移動距離、体重変化をランキング化してもよい。ランキング化する数値は、サーバ３の記憶部３２に記憶されている他のユーザのデータを使用すればよい。
【００９４】
また、１日当たりに乗るマンホール蓋１の数、総移動距離、体重の目標値を携帯端末２に設定し、達成した際に、その旨を携帯端末２の表示部２５やマンホール蓋１の表示部１４に表示してもよい。
【００９５】
その他、ウォーキング支援システムはＳＮＳ（Social Networking Service）などとのネットワーク連携機能を有してもよい。例えば、乗ったマンホール蓋１の数や総移動距離などをＳＮＳを通じてシェアできるようにしてもよい。また、ＳＮＳにおける友人の中で、本ウォーキング支援システムを利用している人がいる場合、マンホール蓋１に乗った数や総移動距離がランキング化されてもよい。さらに、本ウォーキング支援アプリを利用しているユーザどうしでメッセージ交換ができてもよい。
【００９６】
このように、本実施形態では、ユーザがマンホール蓋１に乗ることで健康ポイントが付与される。そのため、マンホール蓋１に乗るべくウォーキングを継続的に行おうというモチベーションが生じ、ウォーキングの継続へとつながる。
【００９７】
（第２の実施形態）
次に説明する第２の実施形態は、マンホール蓋１とサーバ３とが直接通信を行うものである。
【００９８】
図７は、第２の実施形態に係るウォーキング支援システムの概略構成図である。図１と共通する機能ブロックには共通の符号を付している。以下、第１の実施形態との相違点を中心に説明する。
【００９９】
マンホール蓋１は遠距離通信部１６およびアンテナ１６ａを有する。遠距離通信部１６は、アンテナ１６ａを介して、マンホール蓋１とサーバ３との間で情報の送受信を行うためのものである。また、制御部１３は携帯端末２およびサーバ３との情報送受信の制御を行う。
【０１００】
サーバ３における遠距離通信部３１は、アンテナ３１ａを介して、携帯端末２のみならずマンホール蓋１との間でも情報の送受信を行うためのものである。そして、通信制御部３３１は携帯端末２およびマンホール蓋１の両方との情報送受信の制御を行う。
【０１０１】
図８は、第２の実施形態に係るウォーキング支援システムの処理動作の一例を示すシーケンス図である。なお、事前に携帯端末２から個人データ（特定のユーザが用いる携帯端末２の端末ＩＤなど）をサーバ３に登録してあるものとする。
【０１０２】
ユーザがマンホール蓋１に乗ると、重量センサ１２による重量計測結果が所定値を超え、これによってユーザがマンホール蓋１に乗ったことが検知される（ステップＳ１１１のＹＥＳ）。
【０１０３】
これに応じて、マンホール蓋１における近距離通信部１１は携帯端末２との通信を確立する（ステップＳ１１２）。通信が確立されると、携帯端末２の通信制御部２４１は端末ＩＤをマンホール蓋１に送信する（ステップＳ２１１）。これに応じて、マンホール蓋１の制御部１３は携帯端末２から端末ＩＤを受信する（ステップＳ１１３）。そして、制御部１３はマンホールＩＤおよび端末ＩＤをサーバ３に送信する（ステップＳ１１４）。
【０１０４】
なお、マンホール蓋１と携帯端末２との間で通信を確立する際、携帯端末２の通信制御部２４１は、その日初めてマンホール蓋１と通信を行う場合（すなわち、ユーザがその日初めてマンホール蓋１に乗った場合）、その旨をマンホール蓋１に通知する。マンホール蓋１の制御部１３は、この通知を受けた場合には（ステップＳ１１５のＹＥＳ）、重量センサ１２によって計測されたユーザの体重を示す体重情報もサーバ３に送信する（ステップＳ１１６）。
【０１０５】
以下、体重情報が送信される場合（つまり、１日の初めにマンホール蓋１に乗った場合）について説明する。体重情報が送信されない場合については、体重情報に関する処理が省略される。なお、その日初めてか否かに関わらずマンホール蓋１からサーバ３に体重情報を送信し、サーバ３側でその日初めてか否かを判断してもよい。
【０１０６】
サーバ３の通信制御部３３１は、マンホールＩＤ、端末ＩＤおよび体重情報をマンホール蓋１から受信し、記憶部３２に保存する（ステップＳ３１１）。続いて、ポイント付与部３３２は、受信した端末ＩＤが設定された携帯端末２のユーザに、受信したマンホールＩＤに基づく健康ポイントを付与する（ステップＳ３１２）。
【０１０７】
データ管理部３３３は、マンホール蓋１から受信した情報や、記憶部３２に保存された各種データを利用し、携帯端末２の表示部２５に所定の表示を行うための表示情報を生成し、端末装置２に送信する（ステップＳ３１３）。
また、データ管理部３３３は、マンホール蓋１から受信した情報や、記憶部３２に保存された各種データに基づいて、マンホール蓋１における表示部１４の発光パターンを定める発光パターン情報を生成し、発光パターン情報をマンホール蓋１に送信する（ステップＳ３１４）。
【０１０８】
携帯端末２の通信制御部２４１は表示情報をサーバ３から受信し、表示制御部２４２は表示情報に基づく画面を表示部２５に表示させる（ステップＳ２１２）。また、マンホール蓋１の制御部１３は発光パターン情報を携帯端末２から受信し、発光パターン情報に応じて表示部１４を発光させる（ステップＳ１１７）。
【０１０９】
このように、本実施形態でも、ユーザがマンホール蓋１に乗ることで健康ポイントが付与される。そのため、マンホール蓋１に乗るべくウォーキングを継続的に行おうというモチベーションが生じ、ウォーキングの継続へとつながる。
【０１１０】
（第３の実施形態）
次に説明する第３の実施形態は、携帯端末２に代えて、より安価なＲＦタグを用いるものである。
【０１１１】
図９は、第３の実施形態に係るウォーキング支援システムの概略構成図である。図１および図２と共通する機能ブロックには共通の符号を付している。以下、第２の実施形態との相違点を中心に説明する。
【０１１２】
このウォーキング支援システムは、マンホール蓋１と、サーバ３と、ＲＦタグ４とを備えている。
【０１１３】
ＲＦタグ４は、近距離通信部４１と、アンテナ４１ａと、制御部４２とを有する。ＲＦタグ４には固有のタグＩＤが設定されている。通常、ＲＦタグ４は特定のユーザが用いるため、タグＩＤはユーザに固有とも言える。なお、タグＩＤは、第１および第２の実施形態における端末ＩＤと同様に用いられる。
【０１１４】
近距離通信部４１は、アンテナ４１ａを介してマンホール蓋１との間で情報の送受信を行うためのものであり、通信用ＩＣなどから構成され得る。通信制御部４２はマンホール蓋１との情報送受信の制御を行う。具体的には、通信制御部４２は、近距離通信部４１を介して、タグＩＤをマンホール蓋１に送信する。
【０１１５】
図１０は、第３の実施形態に係るウォーキング支援システムの処理動作の一例を示すシーケンス図である。なお、事前に個人データ（特定のユーザが用いるＲＦタグ４のタグＩＤなど）をサーバ３に登録してあるものとする。
【０１１６】
ユーザがマンホール蓋１に乗ると、重量センサ１２による重量計測結果が所定値を超え、これによってユーザがマンホール蓋１に乗ったことが検知される（ステップＳ１２１のＹＥＳ）。
【０１１７】
これに応じて、マンホール蓋１における近距離通信部１１はＲＦタグ４との通信を確立する（ステップＳ１２２）。通信が確立されると、ＲＦタグ４の通信制御部４２はタグＩＤをマンホール蓋１に送信する（ステップＳ２２１）。これに応じて、マンホール蓋１の制御部１３はＲＦタグ４からタグＩＤを受信する（ステップＳ１２３）。そして、制御部１３は、マンホールＩＤおよびタグＩＤと、重量センサ１２によって計測されたユーザの体重を示す体重情報とをサーバ３に送信する（ステップＳ１２４）。
【０１１８】
サーバ３の通信制御部３３１は、マンホールＩＤ、タグＩＤおよび体重情報をマンホール蓋１から受信し、マンホールＩＤおよびタグＩＤを記憶部３２に保存する（ステップＳ３２１）。なお、受信されたタグＩＤがその日初めてである場合、通信制御部３３１は体重情報も記憶部３２に保存する。続いて、ポイント付与部３３２は、受信したタグＩＤが設定されたＲＦタグ４のユーザに、受信したマンホールＩＤに基づく健康ポイントを付与する（ステップＳ３２２）。
【０１１９】
データ管理部３３３は、記憶部３２に保存された各種データに基づいて、マンホール蓋１における表示部１４の発光パターンを定める発光パターン情報を生成し、発光パターン情報をマンホール蓋１に送信する（ステップＳ３２３）。
【０１２０】
マンホール蓋１の制御部１３は発光パターン情報を携帯端末２から受信し、発光パターン情報に応じて表示部１４を発光させる（ステップＳ１２７）。
【０１２１】
このように、本実施形態でも、ユーザがマンホール蓋１に乗ることで健康ポイントが付与される。そのため、マンホール蓋１に乗るべくウォーキングを継続的に行おうというモチベーションが生じ、ウォーキングの継続へとつながる。
【０１２２】
なお、図１、図７および図９の態様は一例にすぎず、携帯端末２内の各部の一部がサーバ３内にあってもよいし、サーバ３内の各部の一部が携帯端末２内にあってもよい。また、複数の実施形態を任意に組み合わせてもよい。あるいは、体重計測など一部の機能を省略してもよい。
【０１２３】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【０１２４】
１  マンホール蓋
１１  近距離通信部
１１ａ  アンテナ
１２  重量センサ
１３  制御部
１４  表示部
１５  太陽電池
１５ａ  蓄電池
１６  遠距離通信部
１６ａ  アンテナ
２  携帯端末
２１  近距離通信部
２１ａ  アンテナ
２２  遠距離通信部
２２ａ  アンテナ
２３  ＧＰＳ受信装置
２４  制御部
２４１  通信制御部
２４２  表示制御部
２４３  歩数カウント部
２４４  クーポン制御部
２５  表示部
３  サーバ
３１  遠距離通信部
３１ａ  アンテナ
３２  記憶部
３３  制御部
３３１  通信制御部
３３２  ポイント付与部
３３３  データ管理部
４  ＲＦタグ
４１  近距離通信部
４１ａ  アンテナ
４２  制御部
【図１】
2019132056.tif 000003
【図２】
2019132056.tif 000004
【図３】
2019132056.tif 000005
【図４】
2019132056.tif 000006
【図５】
2019132056.tif 000007
【図６】
2019132056.tif 000008
【図７】
2019132056.tif 000009
【図８】
2019132056.tif 000010
【図９】
2019132056.tif 000011
【図１０】
2019132056.tif 000012